(57)【要約】【課題】時々刻々と変化する入力動画像データに対応して入力動画像データを精確に処理することができ、回路規模を削減することができ、また、表示画質を向上させることができる動画像処理装置、動画像表示装置及び画像処理表示装置を提供すること。【解決手段】本発明の画像処理表示装置１００は、入力動画像データの特徴量を抽出する特徴量抽出部１１１と、前記特徴量に基づき前記入力動画像データを構成する成分ごとに減色処理後のビット数を示すビット数情報を生成するビット情報生成部１１２と、前記ビット数情報に基づき前記入力動画像データの減色処理を行って動画像データを生成する減色部１１３と、を具備する。【選択図】　　　図１
2004104431.tif 000002
【特許請求の範囲】
【請求項１】
入力される入力動画像データの特徴量を抽出する特徴量抽出手段と、前記特徴量抽出手段により抽出された前記特徴量に基づき前記入力動画像データを構成する成分ごとに減色処理後のビット数を示すビット数情報を生成するビット情報生成手段と、前記ビット情報生成手段により生成された前記ビット数情報に基づき前記入力動画像データの減色処理を行って動画像データを生成する減色手段と、を具備することを特徴とする動画像処理装置。
【請求項２】
前記入力動画像データをバッファリングするフレームメモリ装置を具備し、前記フレームメモリ装置でバッファリングした前記入力動画像データを前記減色手段へ与えることを特徴とする請求項１に記載の動画像処理装置。
【請求項３】
前記入力動画像データは、ＲＧＢ成分からなるディジタルデータであることを特徴とする請求項１又は請求項２に記載の動画像処理装置。
【請求項４】
前記特徴量は、前記入力動画像データを構成する各成分の累積加算値であることを特徴とする請求項１から請求項３のいずれかに記載の動画像処理装置。
【請求項５】
前記特徴量は、前記入力動画像データを構成する各成分の累積加算値に、前記成分ごとに定めた係数を乗算した値であることを特徴とする請求項１から請求項３のいずれかに記載の動画像処理装置。
【請求項６】
前記特徴量は、前記入力動画像データを構成する各成分の累積加算値に、前記成分ごとに定めた係数を加算した値であることを特徴とする請求項１から請求項３のいずれかに記載の動画像処理装置。
【請求項７】
前記特徴量は、前記入力動画像データを構成する各成分のコントラスト値であることを特徴とする請求項１から請求項３のいずれかに記載の動画像処理装置。
【請求項８】
前記特徴量は、前記入力動画像データを構成する各成分の出現階調数であることを特徴とする請求項１から請求項３のいずれかに記載の動画像処理装置。
【請求項９】
減色処理された動画像データ及び前記動画像データを構成する成分ごとのビット数を入力するインタフェース手段と、前記ビット数に従って減色処理された前記動画像データをビット拡張し表示動画像データを生成するビット拡張手段と、前記表示動画像データを表示する表示手段と、を具備することを特徴とする動画像表示装置
【請求項１０】
減色処理された前記動画像データを保持するフレームメモリ装置と、前記ビット数を保持するビット数情報保持手段と、を具備し、前記フレームメモリ装置に保持された前記動画像データ及び前記ビット数情報保持手段に保持された前記ビット数を前記ビット拡張手段へ与えることを特徴とする請求項９に記載の動画像表示装置。
【請求項１１】
請求項１から請求項８のいずれかに記載の動画像処理装置と、請求項９又は請求項１０に記載の動画像表示装置とを具備することを特徴とする画像処理表示装置。
【請求項１２】
請求項１１に記載の画像処理表示装置を具備することを特徴とする情報端末装置。
【請求項１３】
入力される入力動画像データの特徴量を抽出する特徴量抽出ステップと、前記特徴量抽出ステップにおいて抽出された前記特徴量に基づき前記入力動画像データを構成する成分ごとに減色処理後のビット数を示すビット情報を生成するビット情報生成ステップと、前記ビット情報生成ステップにおいて生成された前記ビット数に基づき前記入力動画像データの減色処理を行って動画像データを生成する減色ステップと、を具備することを特徴とする動画像処理方法。
【請求項１４】
減色処理された動画像データ及び前記動画像データを構成する成分ごとのビット数を入力するステップと、前記ビット数に従って前記動画像データをビット拡張し表示動画像データとして出力するビット拡張ステップと、前記表示動画像データを表示する表示ステップと、を具備することを特徴とする動画像表示方法。
【発明の詳細な説明】
【０００１】
【発明の属する技術分野】
本発明は、動画像処理装置及び動画像表示装置及びこれらを具備する画像処理表示装置に関し、特に、動画像データの減色機能、及び、減色された動画像データの表示機能を備えた画像処理表示装置に関する。
【０００２】
【従来の技術】
近年、携帯電話機に代表される通信端末装置においても、動画像データをダウンロードして表示する機能、及び、ＴＶ電話機に代表される動画像通信機能などに、動画像表示を行うアプリケーションが実現している。
【０００３】
一般に、携帯電話機に代表される通信端末装置では、動画像データを保持するメモリ装置の容量、及び、信号処理を行う回路規模及びコストなどの様々な観点から、搭載する画像処理表示装置の表示デバイスにフルカラー（Ｒ成分、Ｂ成分及びＧ成分各８ビット＝１６７７７２１６色）の表示能力を持つものはない。
【０００４】
したがって、通信端末装置では、例えばＭＰＥＧ−４で圧縮された動画像データを復号しこれを表示する画像処理表示装置においては、フルカラーの情報量を持っている元の動画像データのビット数を減らすため、減色処理が行われる。通信端末装置におけるＲＧＢ成分からなるディジタル画像データのビット数を減らす減色処理の方法としては、単純なシフト演算処理方法、ディザ法又は誤差拡散法などが広く用いられている。
【０００５】
一般に、通信端末装置における減色処理では、減色処理後のＲ成分、Ｇ成分及びＢ成分のビット数が固定値で処理される。例えば、Ｒ成分、Ｇ成分及びＢ成分の各８ビットの元データを１２ビット（４０９６色）に減色する場合、一般に、Ｒ成分、Ｇ成分及びＢ成分の各々にそれぞれ４ビットが割り当てられる。
【０００６】
また、従来の画像処理表示装置として、符号化データを復号化して動画像信号を出力する復号化手段と、画素を表現する色を要素として持つテーブルと、前記動画像信号の各画素の色に最も近い色を前記テーブルから選択しそのインデックスを出力する変換手段と、前記動画像信号の色と前記インデックスをもとに前記テーブルの要素である色を修正する更新手段と、前記変換手段の出力するインデックスを前記テーブルの参照により色に戻す逆変換手段を備え、前記変換手段及び前記逆変換手段に通すことで復号画像の色を前記テーブルの中の色だけに制限し、これを表示画像として出力するものが知られている（特許文献１参照）。
【０００７】
【特許文献１】
特開平９−９２９１号公報
【０００８】
【発明が解決しようとする課題】
しかしながら、従来の画像処理表示装置においては、時々刻々と変化する動画像データに対し、Ｒ成分、Ｇ成分及びＢ成分の各々に割り当てるビット数を固定して減色処理を行うから、減色後の動画像データの画質を最適化していないという問題がある。
【０００９】
本発明は、かかる点に鑑みてなされたものであり、時々刻々と変化する入力動画像データに対応して入力動画像データを精確に処理することができ、回路規模を削減することができ、また、表示画質を向上させることができる動画像処理装置、動画像表示装置及び画像処理表示装置を提供することを目的とする。
【００１０】
【課題を解決するための手段】
本発明の動画像処理装置は、入力される入力動画像データの特徴量を抽出する特徴量抽出手段と、前記特徴量抽出手段により抽出された前記特徴量に基づき前記入力動画像データを構成する成分ごとに減色処理後のビット数を示すビット数情報を生成するビット情報生成手段と、前記ビット情報生成手段により生成された前記ビット数情報に基づき前記入力動画像データの減色処理を行って動画像データを生成する減色手段と、を具備する構成を採る。
【００１１】
この構成によれば、入力される入力動画像データの特徴量に基づきフレーム単位で適応的な減色処理を行うことが可能となるため、時々刻々と変化する入力動画像データに対応して入力動画像データを精確に処理することができ、かつ、回路規模を削減することができる。
【００１２】
本発明の動画像処理装置は、前記構成において、前記入力動画像データをバッファリングするフレームメモリ装置を具備し、前記フレームメモリ装置でバッファリングした前記入力動画像データを前記減色手段へ与える構成を採る。
【００１３】
この構成によれば、前記効果に加えて、減色手段により処理する動画像データに対し、ビット数情報のタイミングを厳密に同期させ、より高精度な処理を行うことができる。また、この構成によれば、入力される動画像データにシーンチェンジなどがあり、画像の特徴が大きく変化した場合でも、遅延なく対応することができる。
【００１４】
本発明の動画像処理装置は、前記構成において、前記入力動画像データが、ＲＧＢ成分からなるディジタルデータである構成を採る。
【００１５】
この構成によれば、前記効果に加えて、前記入力動画像データがＲＧＢ成分からなるディジタルデータであるから、処理の精度をより向上させることができる。
【００１６】
本発明の動画像処理装置は、前記構成において、前記特徴量が、前記入力動画像データを構成する各成分の累積加算値である構成を採る。
【００１７】
この構成によれば、前記効果に加えて、前記特徴量が前記入力動画像データを構成する各成分の累積加算値であるから、処理の精度をより向上させることができる。
【００１８】
本発明の動画像処理装置は、前記構成において、前記特徴量が、前記入力動画像データを構成する各成分の累積加算値に、前記成分ごとに定めた係数を乗算した値である構成を採る。
【００１９】
この構成によれば、前記効果に加えて、前記特徴量が前記入力動画像データを構成する各成分の累積加算値に、前記成分ごとに定めた係数を乗算した値であるから、処理の精度をより向上させることができる。
【００２０】
本発明の動画像処理装置は、前記構成において、前記特徴量が、前記入力動画像データを構成する各成分の累積加算値に、前記成分ごとに定めた係数を加算した値である構成を採る。
【００２１】
この構成によれば、前記効果に加えて、前記特徴量が前記入力動画像データを構成する各成分の累積加算値に前記成分ごとに定めた係数を加算した値であるから、処理の精度をより向上させることができる。
【００２２】
本発明の動画像処理装置は、前記構成において、前記特徴量が、前記入力動画像データを構成する各成分のコントラスト値である構成を採る。
【００２３】
この構成によれば、前記効果に加えて、前記特徴量が前記入力動画像データを構成する各成分のコントラスト値であるから、処理の精度をより向上させることができる。
【００２４】
本発明の動画像処理装置は、前記構成において、前記特徴量が、前記入力動画像データを構成する各成分の出現階調数である構成を採る。
【００２５】
この構成によれば、前記構成において、前記特徴量が前記入力動画像データを構成する各成分の出現階調数であるから、処理の精度をより向上させることができる。
【００２６】
本発明の動画像表示装置は、減色処理された動画像データ及び前記動画像データを構成する成分ごとのビット数を入力するインタフェース手段と、前記ビット数に従って減色処理された前記動画像データをビット拡張し表示動画像データを生成するビット拡張手段と、前記表示動画像データを表示する表示手段と、を具備する構成を採る。
【００２７】
この構成によれば、減色処理に対応した動画像データの表示を実時間で行うことができるため、回路規模の削減を図りながら、表示画質を向上させることができる。
【００２８】
本発明の動画像表示装置は、前記構成において、減色処理された前記動画像データを保持するフレームメモリ装置と、前記ビット数を保持するビット数情報保持手段と、を具備し、前記フレームメモリ装置に保持された前記動画像データ及び前記ビット数情報保持手段に保持された前記ビット数を前記ビット拡張手段へ与える構成を採る。
【００２９】
この構成によれば、前記効果に加えて、外部からの動画像データの供給が停止しても、フレームメモリ装置に保持された画像データを連続的に読み出して表示することができるから、自律的に静止画の表示を行うことが可能となる。
【００３０】
本発明の画像処理表示装置は、前記動画像処理装置及び前記動画像表示装置を具備する構成を採る。
【００３１】
この構成によれば、前記効果を有する画像処理表示装置を得ることができる。
【００３２】
本発明の情報端末装置は、前記画像処理表示装置を具備する構成を採る。
【００３３】
この構成によれば、前記効果を有する情報端末装置を得ることができる。
【００３４】
本発明の動画像処理方法は、入力される入力動画像データの特徴量を抽出する特徴量抽出ステップと、前記特徴量抽出ステップにおいて抽出された前記特徴量に基づき前記入力動画像データを構成する成分ごとに減色処理後のビット数を示すビット情報を生成するビット情報生成ステップと、前記ビット情報生成ステップにおいて生成された前記ビット数に基づき前記入力動画像データの減色処理を行って動画像データを生成する減色ステップと、を具備するようにした。
【００３５】
この方法によれば、入力される入力動画像データの特徴量に基づきフレーム単位で適応的な減色処理を行うことが可能となるため、時々刻々と変化する入力動画像データに対応して動画像データを精確に処理することができ、かつ、回路規模を削減することができる。
【００３６】
本発明の動画像表示方法は、減色処理された動画像データ及び前記動画像データを構成する成分ごとのビット数を入力するステップと、前記ビット数に従って前記動画像データをビット拡張し表示動画像データとして出力するビット拡張ステップと、前記表示動画像データを表示する表示ステップと、を具備するようにした。
【００３７】
この方法によれば、減色処理に対応した動画像データの表示を実時間で行うことができるため、回路規模の削減を図りながら、表示画質を向上させることができる。
【００３８】
【発明の実施の形態】
本発明の第１の骨子は、入力される入力動画像データの特徴量を抽出して抽出された前記特徴量に基づき前記入力動画像データを構成する成分ごとに減色処理後のビット数を示すビット数情報を生成し、前記ビット数情報に基づき前記入力動画像データの減色処理を行って動画像データを生成することである。
【００３９】
本発明の第２の骨子は、ビット数情報に従って減色処理された動画像データをビット拡張し表示動画像データを生成して表示することである。
【００４０】
以下、本発明の実施の形態について、図面を参照して説明する。
【００４１】
（実施の形態１）
図１は、本発明の実施の形態１に係る画像処理表示装置の構成を示すブロック図である。
【００４２】
図１において、本発明の実施の形態１に係る画像処理表示装置１００は、動画像処理装置１１０及び動画像表示装置１２０を具備している。動画像処理装置１１０は、特徴量抽出部１１１、ビット情報生成部１１２、減色部１１３及びインタフェース部１１４を具備している。また、動画像表示装置１２０は、インタフェース部１２１、ビット拡張部１２２及び表示部１２３を具備している。
【００４３】
ビット情報生成部１１２の入力端子は、特徴量抽出部１１１の出力端子に接続されている。減色部１１３の入力端子は、ビット情報生成部１１２の出力端子に接続されている。インタフェース部１１４の入力端子は、ビット情報生成部１１２及び減色部１１３の出力端子に接続されている。インタフェース部１２１の入力端子は、インタフェース部１１４の出力端子に接続されている。ビット拡張部１２２の入力端子は、インタフェース部１２１の出力端子に接続されている。表示部１２３の入力端子は、ビット拡張部１２２の出力端子に接続されている。
【００４４】
動画像処理装置１１０に入力される入力動画像データ１３０は、特徴量抽出部１１１及び減色部１１３に与えられる。特徴量抽出部１１１は、入力される入力動画像データ１３０の特徴量を抽出して特徴量情報１３１を生成してビット情報生成部１１２へ出力する。ビット情報生成部１１２は、特徴量抽出部１１１からの特徴量情報１３１に基づき減色後の動画像データを構成するＲ成分、Ｇ成分及びＢ成分の各ビット数を決定してビット数情報１３２を生成して減色部１１３及びインタフェース部１１４へ出力する。
【００４５】
減色部１１３は、ビット情報生成部１１２から入力されるビット数情報１３２に基づき、入力される入力動画像データ１３０のビット数を削減して、減色後の動画像データ１３３を生成しインタフェース部１１４へ出力する。
【００４６】
インタフェース部１１４は、ビット情報生成部１１２からのビット数情報１３２及び減色後の動画像データ１３３を所定のフォーマットに従ってビット数情報１４１及び減色後の動画像データ１４２として動画像表示装置１２０へ出力する。
【００４７】
動画像表示装置１２０のインタフェース部１２１は、インタフェース部１１４からのビット数情報１４１及び減色後の動画像データ１４２を、ビット拡張部１２２へビット数情報１５１及び減色後の動画像データ１５２として出力する。
【００４８】
ビット拡張部１２２は、入力されたビット数情報１５１に基づいて、減色後の動画像データ１５２を構成するＲ成分、Ｇ成分及びＢ成分の各ビット数を、表示部１２３の色再現能力に合わせたビット数へ拡張し、表示動画像データ１５３として表示部１２３へ出力する。表示部１２３は、入力された表示動画像データ１５３を表示する。
【００４９】
次に、本発明の実施の形態１に係る画像処理表示装置１００について、図を参照してより詳細に説明する。
【００５０】
図２は、本発明の実施の形態１に係る画像処理表示装置１００の信号タイミングを示す図である。図２において、横軸は時刻を示す。図２において、垂直同期信号２００の１周期をフレームと呼ぶ。
【００５１】
図３は、本発明の実施の形態１に係る画像処理表示装置１００の動作を説明するための図である。図４は、実施の形態１に係る画像処理表示装置１００における動画像処理装置１１０の特徴量抽出部１１１の構成を示すブロック図である。図５は、本実施の形態１に係る画像処理表示装置１００における動画像処理装置１１０のビット情報生成部１１２の構成を示すブロック図である。図６は、本実施の形態１に係る画像処理表示装置１００における動画像処理装置１１０の減色部１１３の構成を示すブロック図である。図７は、本実施の形態１に係る画像処理表示装置１００における動画像表示装置１２０のビット拡張部１２２の構成を示すブロック図である。なお、図２乃至図７においては、図１と同一の構成要素、信号及びデータ（情報）には同一の参照符号が付されている。
【００５２】
図４に示すように、特徴量抽出部１１１は、Ｒ画素値累積加算部１１１１、Ｇ画素値累積加算部１１１２及びＢ画素値累積加算部１１１３を具備している。Ｒ画素値累積加算部１１１１、Ｇ画素値累積加算部１１１２及びＢ画素値累積加算部１１１３の入力端子は、入力される入力動画像データ１３０を受ける。
【００５３】
図５に示すように、ビット情報生成部１１２は、Ｒビット数情報生成部１１２１、Ｇビット数情報生成部１１２２、Ｂビット数情報生成部１１２３及びトータル画素値加算部１１２４を具備している。Ｒビット数情報生成部１１２１、Ｇビット数情報生成部１１２２及びＢビット数情報生成部１１２３の入力端子は、それぞれＲ画素値累積加算部１１１１、Ｇ画素値累積加算部１１１２及びＢ画素値累積加算部１１１３の出力端子に接続されている（図４）。トータル画素値加算部１１２４の入力端子は、Ｒ画素値累積加算部１１１１、Ｇ画素値累積加算部１１１２及びＢ画素値累積加算部１１１３の出力端子に接続されている（図４）。Ｒビット数情報生成部１１２１、Ｇビット数情報生成部１１２２及びＢビット数情報生成部１１２３の入力端子は、トータル画素値加算部１１２４の出力端子に接続されている。
【００５４】
図６に示すように、減色部１１３は、Ｒ減色部１１３１、Ｇ減色部１１３２、Ｂ減色部１１３３及びビット選択部１１３４を具備している。Ｒ減色部１１３１、Ｇ減色部１１３２及びＢ減色部１１３３の入力端子は、それぞれＲビット数情報生成部１１２１、Ｇビット数情報生成部１１２２及びＢビット数情報生成部１１２３の出力端子に接続されている（図５）。ビット選択部１１３４の入力端子は、Ｒビット情報生成部１１２１、Ｇビット数情報生成部１１２２及びＢビット数情報生成部１１２３の出力端子に接続されている。また、ビット選択部１１３４の入力端子は、Ｒ減色部１１３１、Ｇ減色部１１３２及びＢ減色部１１３３の出力端子に接続されている。ビット選択部１１３４の出力端子は、インタフェース部１１４の入力端子に接続されている（図１）。
【００５５】
図７に示すように、動画像表示装置１２０のビット拡張部１２２は、Ｒビット拡張部１２２１、Ｇビット拡張部１２２２、Ｂビット拡張部１２２３及びビット分離部１２２４を具備している。Ｒビット拡張部１２２１、Ｇビット拡張部１２２２及びＢビット拡張部１２２３の入力端子は、それぞれ動画像表示装置１２０のインタフェース部１２１の出力端子に接続されている（図１）。ビット分離部１２２４の入力端子は、インタフェース部１２１の出力端子に接続されている。また、Ｒビット拡張部１２２１、Ｇビット拡張部１２２２及びＢビット拡張部１２２３の入力端子は、それぞれビット分離部１２２４の出力端子に接続されている。Ｒビット拡張部１２２１、Ｇビット拡張部１２２２及びＢビット拡張部１２２３の出力端子は、表示部１２３の入力端子に接続されている（図１）。
【００５６】
次に、本発明の実施の形態１に係る画像処理表示装置１００の動作について、図１から図７を用いて詳細に説明する。
【００５７】
ここで、説明の便宜上、これ以後、動画像処理装置１１０へ入力される入力動画像データ１３０は、例えば、Ｒ成分、Ｇ成分及びＢ成分の各８ビットで合計２４ビットからなるディジタル動画像データとし、動画像処理装置１００は、２４ビットの入力される入力動画像データ１３０を、１２ビットの動画像データ１３１に減色するものとする。また、動画像表示装置１２０の表示部１２３の色再現能力は、例えば、Ｒ成分、Ｇ成分及びＢ成分の各５ビット（３２７６８色表示）とする。
【００５８】
前述した入力される入力動画像データ１３０のビット数、減色後の動画像データ１３１のビット数、表示部１２３の色再現能力は、説明の便宜を図るために一例として仮定したものであり、本発明の構成を制限するものではない。
【００５９】
図２に示すように、動画像処理装置１１０及び動画像表示装置１２０は、垂直同期信号２００に同期してフレーム単位で動作する。入力される入力動画像データ１３０は、垂直同期信号２００に同期して特徴量抽出部１１１及び減色部１１３へ入力される。
【００６０】
特徴量抽出部１１１は、入力される入力動画像データ１３０を構成するＲ成分、Ｇ成分及びＢ成分の各８ビットを、それぞれＲ画素値累積加算部１１１１、Ｇ画素値累積加算部１１１２及びＢ画素値累積加算部１１１３へ供給する。
【００６１】
Ｒ画素値累積加算部１１１１、Ｇ画素値累積加算部１１１２及びＢ画素値累積加算部１１１３は、入力動画像データ１３０を構成するＲ成分、Ｇ成分及びＢ成分の１フレーム期間の画素値をそれぞれ累積加算し、特徴量情報１３１１、１３１２、１３１３としてビット情報生成部１１２へ出力する。特徴量情報１３１１、１３１２、１３１３は、前記特徴量情報１３１を構成している。
【００６２】
ビット情報生成部１１２においては、トータル画素値加算部１１２４がＲ画素値累積加算部１１１１、Ｇ画素値累積加算部１１１２及びＢ画素値累積加算部１１１３からの特徴量情報１３１１、１３１２、１３１３を受ける。トータル画素値加算部１１２４は、特徴量情報１３１１、１３１２、１３１３を加算してトータル画素値１１２５を生成し、Ｒビット数情報生成部１１２１、Ｇビット数情報生成部１１２２、Ｂビット数情報生成部１１２３へ出力する。
【００６３】
Ｒビット数情報生成部１１２１は、トータル画素値１１２５に対する特徴量情報１３１１の比率に基づいて減色後の動画像データ１３３を構成する１２ビットの中でＲ成分に割り当てるビット数を示すビット数情報１３２１を生成して減色部１１３及びインタフェース部１１４へ出力する。
【００６４】
Ｇビット数情報生成部１１２２は、トータル画素値１１２５に対する特徴量情報１３１２の比率に基づいて減色後の動画像データ１３３を構成する１２ビットの中でＧ成分に割り当てるビット数を示すビット数情報１３２２を生成して減色部１１３及びインタフェース部１１４へ出力する。
【００６５】
Ｂビット数情報生成部１１２３は、トータル画素値１１２５に対する特徴量情報１３１３の比率に基づいて減色後の動画像データ１３３を構成する１２ビットの中でＢ成分に割り当てるビット数を示すビット数情報１３２３を生成して減色部１１３及びインタフェース部１１４へ出力する。
【００６６】
ここで、特徴量抽出部１１１及びビット情報生成部１１２は、入力される入力動画像データ１３０を構成するＲ成分、Ｇ成分及びＢ成分の各画素値の累積加算をそのまま用いてビット数情報１３１を生成したが、人間の視覚特性を考慮して、Ｒ成分、Ｇ成分及びＢ成分の各々に所定の係数を乗算、又は、所定の係数を加算しても良い。また、特徴量抽出部１１１及びビット情報生成部１１２は、入力される入力動画像データ１３０を構成するＲ成分、Ｇ成分及びＢ成分の各画素値の最大値と最小値から得られるコントラスト情報、及び、Ｒ成分、Ｇ成分及びＢ成分の各画素値の出現頻度から得られる出現階調数情報などの他の特徴量を用いてビット数情報を生成しても良い。
【００６７】
減色部１１３においては、Ｒ減色部１１３１、Ｇ減色部１１３２及びＢ減色部１１３３は、それぞれＲビット数情報生成部１１２１、Ｇビット数情報生成部１１２２及びＢビット数情報生成部１１２３からビット数情報１３２１、１３２２、１３２３を受ける。また、Ｒ減色部１１３１、Ｇ減色部１１３２及びＢ減色部１１３３は、入力される入力動画像データ１３０を受ける。ビット選択部１１３４は、ビット数情報１３２１、１３２２、１３２３の全てを受ける。
【００６８】
Ｒ減色部１１３１は、入力される入力動画像データ１３０を構成するＲ成分の８ビットを、ビット数情報１３２１で指定されたビット数に減色処理を行う。Ｇ減色部１１３２は、入力される入力動画像データ１３０を構成するＧ成分の８ビットを、ビット数情報１３２２で指定されたビット数に減色処理を行う。Ｂ減色部１１３３は、入力される入力動画像データ１３０を構成するＢ成分の８ビットを、ビット数情報１３２３で指定されたビット数に減色処理を行う。
【００６９】
ビット選択部１１３４は、Ｒ減色部１１３１、Ｇ減色部１１３２及びＢ減色部１１３３から出力されたデータからビット数情報１３２に従って１２ビットを選択し、減色後の動画像データ１３３としてインタフェース部１１４へ出力する。
【００７０】
ここで、Ｒ減色部１１３１、Ｇ減色部１１３２及びＢ減色部１１３３で行う減色処理としては、単純なシフト演算処理、ディザ処理又は誤差拡散処理などのあらゆる減色処理を用いることが可能である。
【００７１】
動画像処理装置１１０のインタフェース部１１４は、ビット数情報１３２及び減色後の動画像データ１３３を所定のフォーマットに従ってビット数情報１４１及び減色後の動画像データ１４２として動画像表示装置１２０へ出力する。ビット数情報１４１は、ビット数情報１４１１、１４１２、１４１３からなる。インタフェース部１１４によるビット数情報１４１の転送の方法としては、シリアル信号ラインを用いて動画像表示装置１２０へ転送する方法、又は、減色後の動画像データ１４２の垂直ブランキング期間を利用して同一の信号ラインにビット数情報１４１を多重する方法などを用いることが可能である。
【００７２】
動画像表示装置１２０のインタフェース部１２１は、所定のフォーマットに従って入力されるビット数情報１４１及び減色後の動画像データ１４２を、ビット数情報１５１及び減色後の動画像データ１５２としてビット拡張部１２２へ供給する。ビット数情報１５１は、ビット数情報１５１１、ビット数情報１５１２及びビット数情報１５１３からなる。
【００７３】
ビット拡張部１２２においては、Ｒビット拡張部１２２１、Ｇビット拡張部１２２２及びＢビット拡張部１２２３は、それぞれビット数情報１５１１、ビット数情報１５１２及びビット数情報１５１３を受ける。ビット分離部１２２４は、ビット数情報１５１１、ビット数情報１５１２及びビット数情報１５１３からなるビット数情報１５１を受け、かつ、減色後の動画像データ１５２を受ける。ビット分離部１２２４は、ビット数情報１５１に従って減色後の動画像データ１５２を構成するＲ成分、Ｇ成分及びＢ各成分のデータに分離して、Ｒ成分データをＲビット拡張部１２２１へ出力し、Ｇ成分データをＧビット拡張部１２２２へ出力し、かつ、Ｂ成分データをＢビット拡張部１２２３へ出力する。
【００７４】
Ｒビット拡張部１２２１は、ビット数情報１５１１に従ってビット分離部１２２４からのＲ成分データを表示部１２３の色再現能力である５ビットに拡張して表示部１２３へ出力する。Ｇビット拡張部１２２２は、ビット数情報１５１２に従ってビット分離部１２２４からのＧ成分データを表示部１２３の色再現能力である５ビットに拡張して表示部１２３２へ出力する。Ｂビット拡張部１２２３は、ビット数情報１５１３に従ってビット分離部１２２４からのＢ成分データを表示部１２３の色再現能力である５ビットに拡張して表示部１２３へ出力する。
【００７５】
ここで、Ｒビット拡張部１２２１、Ｇビット拡張部１２２２及びＢビット拡張部１２２３で行うビット拡張処理は、単純なシフト演算又はＭＳＢビット値を用いて下位ビットを拡張するなどのあらゆる処理を適用することが可能である。
【００７６】
ビット拡張部１２２は、Ｒビット拡張部１２２１、Ｇビット拡張部１２２２及びＢビット拡張部１２２３からのＲ成分データ、Ｇ成分データ及びＢ成分データからなるデータを表示動画像データ１５３として表示部１２３に与える。表示部１２３は、Ｒビット拡張部１２２１、Ｇビット拡張部１２２２及びＢビット拡張部１２２３からのＲ成分データ、Ｇ成分データ及びＢ成分データからなる表示動画像データ１５３を受けて表示する。
【００７７】
このように、本発明の実施の形態１によれば、動画像装置１１０は入力される入力動画像データ１３０の特徴量に基づきフレーム単位で適応的な減色処理を行うことが可能となるため、時々刻々と変化する入力動画像データ１３０に対応して入力動画像データ１３０を精確に処理することができ、かつ、回路規模を削減することができる。
【００７８】
また、本発明の実施の形態１によれば、動画像表示装置１２０は動画像処理装置１１０が実施した減色処理に対応した動画像データの表示を実時間で行うことができるため、回路規模の削減を図りながら、表示画質を向上させることができる。
【００７９】
（実施の形態２）
図８は、本発明の実施の形態２に係る画像処理表示装置の動画像処理装置の構成を示すブロック図である。本発明の実施の形態２においては、本発明の実施の形態１と同一の構成要素、信号及びデータ（情報）には同一の符号が付されている。
【００８０】
図８に示すように、本発明の実施の形態２に係る画像処理表示装置８００の動画像処理装置８０１は、図１に示す本発明の実施の形態１に係る画像処理表示装置１００の動画像処理装置１１０において、フレームメモリ装置８０２を追加してなる。すなわち、本発明の実施の形態２に係る画像処理表示装置８００は、動画像処理装置８０１及び動画像表示装置１２０を具備し、動画像処理装置８０１が、特徴量抽出部１１１、ビット情報生成部１１２、減色部１１３、インタフェース部１１４及びフレームメモリ装置８０２を具備し、かつ、動画像表示装置１２０が、インタフェース部１２１、ビット拡張部１２２及び表示部１２３を具備している。フレームメモリ装置８０２は入力される入力動画像データ１３０を受け、かつ、フレームメモリ装置８０２の出力端子は減色部１１３の入力端子に接続されている。
【００８１】
図９は、本発明の実施の形態２に係る画像処理表示装置８００の信号タイミングを示す図である。図９において、横軸は時刻を示す。また、図９において、図１と同一の信号については同一の符号を付し、詳しい説明を省略する。図９において、垂直同期信号２００の１周期をフレームと呼ぶ。
【００８２】
前述した本発明の実施の形態１に係る動画像処理装置１１０では、図２に示すように、減色部１１３で処理する入力動画像データ１３０に対しビット数情報１３２は１フレーム期間の遅延を持っている。
【００８３】
通常、動画像データにおいて時間的に連続するフレーム間における特徴量の相関は高く、このような構成でも大きな画質劣化を起こすことはないが、厳密な処理を行うために動画像処理装置８０１が図８に示すように構成されている。
【００８４】
図９に示すように、動画像処理装置８０１は、フレームメモリ装置８０２で入力動画像データ１３０を１フレーム期間遅延させ、動画像データ８０３として減色部１１３へ供給する。減色部１１３は、ビット情報生成部１１２から入力されるビット数情報１３２に基づき、入力される動画像データ８０３のビット数を削減して、減色後の動画像データ１３３を生成しインタフェース部１１４へ出力する。
【００８５】
このように、本発明の実施の形態２によれば、本発明の実施の形態１の効果に加えて、減色部１１３で処理する動画像データ８０３に対しビット数情報１３２のタイミングを厳密に同期させ、より高精度な処理を行うことができる。また、本発明の実施の形態２によれば、入力動画像データ１３０にシーンチェンジなどがあって入力動画像データ１３０の特徴が大きく変化した場合でも遅延なく対応することができる。
【００８６】
（実施の形態３）
図１０は、本発明の実施の形態３に係る画像処理表示装置の動画像表示装置の構成を示すブロック図である。本発明の実施の形態３においては、本発明の実施の形態１と同一の構成要素、信号及びデータ（情報）には同一の符号が付されている。
【００８７】
図１０に示すように、本発明の実施の形態３に係る画像処理表示装置１０００の動画像表示装置１００１は、本発明の実施の形態１に係る画像処理表示装置１００の動画像表示装置１２０において、ビット数情報保持部１００２及びフレームメモリ装置１００３を追加してなる。すなわち、本発明の実施の形態３に係る画像処理表示装置１０００は、動画像処理装置１１０及び動画像表示装置１００１を具備し、動画像処理装置１１０が、特徴量抽出部１１１、ビット情報生成部１１２、減色部１１３及びインタフェース部１１４を具備し、かつ、動画像表示装置１００１が、インタフェース部１２１、ビット拡張部１２２、表示部１２３、ビット数情報保持部１００２及びフレームメモリ装置１００３を具備している。
【００８８】
ビット数情報保持部１００２は、インタフェース部１２１とビット拡張部１２２との間に接続されている。フレームメモリ装置１００３も、インタフェース部１２１とビット拡張部１２２との間に接続されている。
【００８９】
ビット数情報保持部１００２は、インタフェース部１２１からのビット数情報１５１を一時的に保持し、ビット拡張部１２２へビット数情報１５１を供給する。フレームメモリ装置１００２は、インタフェース部１２１からの減色後の１フレーム分の動画像データ１５２を保持し、ビット拡張部１２２へ動画像データ１５２を供給する。
【００９０】
なお、本発明の実施の形態３は、本発明の実施の形態２に適用することができる。
【００９１】
このように、本発明の実施の形態３によれば、本発明の実施の形態１、２の効果に加えて、外部からの動画像データの供給が停止しても、フレームメモリ装置１００３に保持された動画像データを連続的に読み出して表示することができるから、自律的に静止画データの表示を行うことができる。
【００９２】
また、本発明の実施の形態３によれば、例えば、動画像表示装置１００１を携帯電話機に使用した場合、待ち受け時の静止画データの表示時などで、動画像表示装置１００１以外の電源を切断することができるから、消費電力の低減に寄与する。
【００９３】
（実施の形態４）
図１１は、本発明の実施の形態４に係る電子装置の構成を示すブロック図である。本発明の実施の形態４においては、本発明の実施の形態１と同一の構成要素、信号及びデータ（情報）には同一の符号が付されている。
【００９４】
図１１に示すように、本発明の実施の形態４に係る電子装置１１００は、ＣＰＵ１１０１、アンテナ１１０２、ＲＦ部１１０３、ベースバンド信号処理部１１０４、音声コーデック１１０５、レシーバ１１０６、マイクロフォン１１０７、動画像デコーダ１１０９及び動画像表示装置１２０を具備している。動画像デコーダ１１０９は、動画像復号部１１１０及び動画像処理装置１１０を具備している。
【００９５】
ＣＰＵ１１０１、ベースバンド信号処理部１１０４、音声コーデック１１０５及び動画像復号部１１１０は、ＣＰＵバス１１０８に接続されている。ＲＦ部１１０は、ＣＰＵ１１０１及びアンテナ１１０２に接続されている。ベースバンド信号処理部１１０４は、ＣＰＵ１１０１及びＲＦ部１１０３に接続されている。レシーバ１１０６及びマイクロフォン１１０７は、音声コーデック１１０５に接続されている。動画像処理装置１１０は、動画像復号部１１１０に接続されている。動画像表示装置１２０は、動画像処理装置１１０に接続されている。
【００９６】
アンテナ１１０２は、無線信号を受信して受信信号を生成してＲＦ部１１０３出力し、また、ＲＦ部１１０３から出力された送信信号を受けて無線送信信号を生成して送信する。
【００９７】
ＲＦ部１１０３は、アンテナ１１０２から出力された受信信号をベースバンド周波数にダウンコンバートしてベースバンド信号処理部１１０４へ出力する。また、ＲＦ部１１０３は、ベースバンド信号処理部１１０４から出力された送信信号を無線周波数にアップコンバートしてアンテナ１１０２へ出力する。
【００９８】
ベースバンド信号処理部１１０４は、ＲＦ部１１０３から出力された受信信号を復調してＣＰＵ１１０１へ出力し、また、ＣＰＵ１１０１から出力された送信信号を変調してＲＦ部１１０３へ出力する。
【００９９】
ＣＰＵ１１０１は、ベースバンド信号処理部１１０４から出力された受信信号が音声符号化データである場合に、音声符号化データを音声コーデック１１０５へ出力する。また、ＣＰＵ１１０１は、受信信号が動画像符号化データである場合、動画像符号化データを動画像復号部１１１０へ出力する。また、ＣＰＵ１１０１は、音声コーデック１１０５から出力された音声符号化信号を送信信号としてベースバンド信号処理部１１０４へ出力する。
【０１００】
音声コーデック１１０５は、ＣＰＵ１１０１から出力された音声符号化データを復号化し、得られた音声信号をレシーバ１１０６へ出力し、また、マイクロフォン１１０７から出力された音声信号を符号化し、得られた音声符号化信号をＣＰＵ１１０１へ出力する。
【０１０１】
レシーバ１１０６は、音声コーデック部１１０５から出力された音声信号を音声として出力する。マイクロフォン１１０７は、音声を受けて音声信号を生成して音声コーデック部１１０５へ出力する。
【０１０２】
動画像復号部１１１０は、ＣＰＵ１１０１からの動画像符号化データを復号して入力動画像データ１３０を生成して動画像処理装置１１０へ出力する。動画像処理装置１１０は、動画像復号部１１１０から出力された入力動画像データ１３０に対し、前述したように入力動画像データ１３０の特徴量に応じた適応的な減色処理を行い、減色後の動画像データ１４２及びビット数情報１４１を動画像表示装置１２０へ出力する。動画像表示装置１２０は、動画像処理装置１１０が出力する減色後の動画像データ１４２を表示する。
。
【０１０３】
ここで、本実施の形態４に係る電子装置１１００は、復号した動画像データの特徴量に基づき、フレーム単位で適応的な減色処理を行い、かつ、適応的な減色処理に応じた動画像データの表示を行うことができる。
【０１０４】
このように、本発明の実施の形態４によれば、減色処理によって回路規模の削減を図りながら、表示画質の改善を図ることができる。
【０１０５】
なお、本発明は、移動通信システムにおける携帯電話機、携帯テレビ電話機、コンピュータ機能を備える通信端末機等の移動局装置、有線回線で接続される据え置き型の電話機若しくはテレビ電話機、テレビ受像機、コンピュータ、又は、コンピュータ機能を有する情報端末装置等に適用することができる。
【０１０６】
【発明の効果】
以上説明したように、本発明によれば、動画像処理装置が時々刻々と変化する動画像データに対応して動画像データを精確に処理することができ、回路規模を削減することができる。また、本発明によれば、動画像表示装置が減色処理に対応した動画像データの表示を実時間で行うことができるため、回路規模の削減を図りながら、表示画質を向上させることができる。
【図面の簡単な説明】
【図１】本発明の実施の形態１に係る画像処理表示装置の構成を示すブロック図
【図２】本発明の実施の形態１に係る画像処理表示装置の信号タイミングを示す図
【図３】本発明の実施の形態１に係る画像処理表示装置の動作を説明するための図
【図４】本発明の実施の形態１に係る画像処理表示装置の動画像処理装置における特徴量抽出部の構成を示すブロック図
【図５】本発明の実施の形態１に係る画像処理表示装置の動画像処理装置におけるビット情報生成部の構成を示すブロック図
【図６】本発明の実施の形態１に係る画像処理表示装置の動画像処理装置における減色部の構成を示すブロック図
【図７】本発明の実施の形態１に係る画像処理表示装置の動画像表示装置におけるビット拡張部の構成を示すブロック図
【図８】本発明の実施の形態２に係る画像処理表示装置の動画像処理装置の構成を示すブロック図
【図９】本発明の実施の形態２に係る画像処理表示装置の信号タイミングを示す図
【図１０】本発明の実施の形態３に係る画像処理表示装置の動画像表示装置の構成を示すブロック図
【図１１】本発明の実施の形態４に係る電子装置の構成を示すブロック図
【符号の説明】
１００、８００、１０００　画像処理表示装置
１１０、８０１　動画像処理装置
１２０、１００１　動画像表示装置
１１１　特徴量抽出部
１１２　ビット情報生成部
１１３　減色部
１１４　インタフェース部
１２１　インタフェース部
１２２　ビット拡張部
１２３　表示部
８０２、１００３　フレームメモリ装置
１００２　ビット数情報保持部
【図１】
2004104431.tif 000003
【図２】
2004104431.tif 000004
【図３】
2004104431.tif 000005
【図４】
2004104431.tif 000006
【図５】
2004104431.tif 000007
【図６】
2004104431.tif 000008
【図７】
2004104431.tif 000009
【図８】
2004104431.tif 000010
【図９】
2004104431.tif 000011
【図１０】
2004104431.tif 000012
【図１１】
2004104431.tif 000013